(57)【特許請求の範囲】
【請求項１】
診療によって生じた廃液を吸引する管状部材が取り付けられ、押圧されることで吸引を行うか否かを電気的に切り替える押圧部が設けられた管状の第１部材と、
前記第１部材に一端が接続され、廃液を回収するためのホースに他端が接続される管状の第２部材と、を備え、
前記第１部材は、前記第２部材に対して回転可能であることを特徴とする歯科用吸引器具。
【請求項２】
前記第１部材は、前記第２部材に対して取り外し可能であることを特徴とする請求項１に記載の歯科用吸引器具。
【請求項３】
前記第２部材に取り付けられ、前記押圧部が押圧された場合に吸引を行うか否かを切り替えるための信号を出力する切り替え部をさらに有し、
前記切り替え部は、前記第１部材が前記第２部材に対して回転された場合に、当該第１部材に案内されて当該第２部材に対して回転することを特徴とする請求項１または２に記載の歯科用吸引器具。
【請求項４】
前記切り替え部から出力された信号を前記第１部材および前記第２部材の外部に導く導線と、
前記導線と前記切り替え部とを電気的に接続する接点部材とをさらに備え、
前記接点部材は前記第２部材の周方向に連続して設けられ、
前記切り替え部は、前記第１部材が前記第２部材に対して回転された場合に、当該第１部材に案内されて前記接点部材に沿って移動することを特徴とする請求項３に記載の歯科用吸引器具。
【請求項５】
前記第２部材には、前記導線に接続された電線が設けられるとともに廃液を回収するホースが接続されていることを特徴とする請求項４に記載の歯科用吸引器具。
【請求項６】
前記第２部材は、前記接点部材を支持する円筒状の支持部材と、当該支持部材および当該支持部材に支持された当該接点部材の外周を覆う円筒状のカバー部材と、当該支持部材と当該カバー部材との間を密閉する密閉部材とを備え、
前記接点部材は、前記支持部材と前記カバー部材と前記密閉部材とに囲まれる空間内に設けられることを特徴とする請求項４に記載の歯科用吸引器具。
【請求項７】
診療に用いられる診療用器具と、
前記診療によって生じた廃液の吸引に用いられる歯科用吸引器具と、
前記歯科用吸引器具によって吸引された廃液が収容される収容部とを備え、
前記歯科用吸引器具は、請求項１乃至６の何れかに記載の歯科用吸引器具を含んで構成されることを特徴とする歯科用診療装置。
【発明の詳細な説明】
【技術分野】
【０００１】
本発明は、歯科用吸引器具および歯科用診療装置に関する。
【背景技術】
【０００２】
例えば特許文献１には、管状の吸引装置本体と、吸引装置本体の内部に設けられるボールバルブと、ボールバルブの開閉を行うスライドスイッチとを備えた歯科用吸引装置が開示されている。この歯科用吸引装置では、スライドスイッチをスイッチさせ、ボールバルブを開閉操作することにより、廃液等の吸引量を調整する。
【先行技術文献】
【特許文献】
【０００３】
【特許文献１】特開２０１２−８０９７４号公報
【発明の概要】
【発明が解決しようとする課題】
【０００４】
ところで、歯科用吸引器具では、廃液の吸引のオン／オフを電気的に切り替えるための切り替えボタン等を設ける場合がある。歯科用吸引器具に切り替えボタンを設けることで、歯科用吸引器具を把持した状態で廃液の吸引のオン／オフを切り替えることが可能となる。しかしながら、患者の姿勢や吸引方向、歯科用吸引器具の把持のしかた等によっては、切り替えボタンが押圧しにくくなり、歯科用吸引器具の操作性が低下する場合がある。
本発明は、歯科用吸引器具の操作性を向上させることを目的とする。
【課題を解決するための手段】
【０００５】
かかる目的のもと、本発明が適用される歯科用吸引器具は、診療によって生じた廃液を吸引する管状部材が取り付けられ、押圧されることで吸引を行うか否かを電気的に切り替える押圧部が設けられた管状の第１部材と、前記第１部材に一端が接続され、廃液を回収するためのホースに他端が接続される管状の第２部材と、を備え、前記第１部材は、前記第２部材に対して回転可能であることを特徴とする。
ここで、前記第１部材は、前記第２部材に対して取り外し可能であることを特徴とすることができる。この場合、第１部材を洗浄、消毒することが可能となり、歯科用吸引器具の清潔性が向上する。
また、歯科用吸引器具は、前記第２部材に取り付けられ、前記押圧部が押圧された場合に吸引を行うか否かを切り替えるための信号を出力する切り替え部をさらに有し、前記切り替え部は、前記第１部材が前記第２部材に対して回転された場合に、当該第１部材に案内されて当該第２部材に対して回転することを特徴とすることができる。
【０００６】
さらに、歯科用吸引器具は、前記切り替え部から出力された信号を前記第１部材および前記第２部材の外部に導く導線と、前記導線と前記切り替え部とを電気的に接続する接点部材とをさらに備え、前記接点部材は前記第２部材の周方向に連続して設けられ、前記切り替え部は、前記第１部材が前記第２部材に対して回転された場合に、当該第１部材に案内されて前記接点部材に沿って移動することを特徴とすることができる。
さらにまた、前記第２部材には、前記導線に接続された電線が設けられるとともに廃液を回収するホースが接続されていることを特徴とすることができる。この場合、ホースに設けられた電線の断線が抑制される。
また、前記第２部材は、前記接点部材を支持する円筒状の支持部材と、当該支持部材および当該支持部材に支持された当該接点部材の外周を覆う円筒状のカバー部材と、当該支持部材と当該カバー部材との間を密閉する密閉部材とを備え、前記接点部材は、前記支持部材と前記カバー部材と前記密閉部材とに囲まれる空間内に設けられることを特徴とすることができる。この場合、接点部材に廃液等が接触することが抑制され、接点部材の腐食が抑制される。
【０００７】
さらに他の観点から捉えると、本発明が適用される歯科用診療装置は、診療に用いられる診療用器具と、前記診療によって生じた廃液の吸引に用いられる歯科用吸引器具と、前記歯科用吸引器具によって吸引された廃液が収容される収容部とを備え、前記歯科用吸引器具は、上記の何れかに記載の歯科用吸引器具を含んで構成されることを特徴とする。
【発明の効果】
【０００８】
本発明によれば、歯科用吸引器具の操作性を向上させることができる。
【図面の簡単な説明】
【０００９】
【図１】本実施の形態が適用される歯科用診療装置の全体構成を示した斜視図である。
【図２】サクションシリンジの構成を示す正面図である。
【図３】（ａ）〜（ｂ）は、本実施の形態が適用される把持部材の構成を説明するための図である。
【図４】把持部材の構成を説明するための図である。
【図５】先端カバー部を、本体部から取り外した状態の把持部材を示した斜視図である。
【図６】把持部材を構成する各部品を分解した状態を示す分解斜視図である。
【図７】（ａ）〜（ｂ）は、先端カバー部および回転部を回転させたサクションシリンジの状態を説明するための図である。
【発明を実施するための形態】
【００１０】
（歯科用診療装置１の構成）
以下、添付図面を参照して、本発明の実施の形態について説明する。
図１は、本実施の形態が適用される歯科用診療装置１の全体構成を示した斜視図である。
図１に示すように、本実施の形態の歯科用診療装置１では、床面の上に、診療台２が設けられている。診療台２は、基台２ａと、基台２ａにより支持され昇降可能に設けられた座板２ｂと、一端が座板２ｂに取り付けられこの一端を中心に回転可能に設けられた背板２ｃと、背板２ｃに取り付けられ患者の頭を支えるヘッドレスト２ｄとから構成されている。
【００１１】
さらに、本実施の形態の歯科用診療装置１では、診療台２の脇に、医師用のトレーテーブル３が設けられるとともに、医師用のインスツルメントホルダ１０が設けられている。さらに、本実施の形態では、診療台２を挟みトレーテーブル３の反対側に、アシスタント用のインスツルメントホルダ４が設けられている。また、本実施の形態では、光源を備えたデンタルライト６ａ、デンタルライト６ａを支持するアーム６ｂ、アーム６ｂを支持する支柱６ｃが設けられている。
【００１２】
なお、医師用のインスツルメントホルダ１０およびアシスタント用のインスツルメントホルダ４には、歯科用の診療用器具（インスツルメント）１１が抜差し自在に保持される（図１では、アシスタント用の診療用器具１１のみを図示）。ここで、医師用の診療用器具１１としては、例えば、エアタービンハンドピース、マイクロモータハンドピース、スケーラ、スリーウェーシリンジ、口腔内カメラ等を上げることができる。
【００１３】
また、アシスタント用の診療用器具１１としては、例えば、患者の口腔内の唾液、血液、切削屑等（以下、「廃液」と称することがある）を吸引する吸引用器具として機能する、サクションシリンジ（バキュームシリンジ）１００、サライバエジェクタ１５０が、インスツルメントホルダ４により保持されている。なお、この吸引用器具は、後述するホース４００を介してコンプレッサーやポンプ等の不図示の吸気源により接続されており、この吸気源にて吸気が行われることで、上記廃液の吸引を行う。
【００１４】
また、本実施の形態では、診療台２の脇に、患者がうがいを行う際に用いるコップに対して水を供給する供給装置（スピットン装置）５が設けられている。この供給装置５には、ベースユニット５１、ベースユニット５１の上に設置され患者の口腔内から排出された廃液を受ける廃液受け部（ベースン）５２、廃液受け部５２の脇に設けられたコップに対し水を供給するコップ用給水部５３、清掃用の水を廃液受け部５２に供給する清掃用給水部５４が設けられている。
さらに、本実施の形態の供給装置５には、吸引用器具（サクションシリンジ１００、サライバエジェクタ１５０）に取り付けられたホース４００の端部が接続されるホース接続部５５が設けられている。
【００１５】
さらに、図示は省略するが、本実施の形態の供給装置５では、ベースユニット５１の内部に、廃液を収容する収容部の一例としての収容容器（サクションタンク）が設けられている。
そして、本実施の形態の歯科用診療装置１では、吸引用器具（サクションシリンジ１００、サライバエジェクタ１５０）によって吸引された廃液（患者の口腔内から吸引された廃液）が、ホース４００を介して収容容器に収容される。
【００１６】
図２は、サクションシリンジ１００の構成を示す正面図である。
本実施の形態のサクションシリンジ１００は、歯科用吸引器具の一例であって、図２に示すように、円筒状の部材により構成され、アシスタントまたは医師によって把持される把持部の一例としての把持部材２００と、把持部材２００の先端に挿入され、患者の口腔内に溜まった廃液（廃液溜まり部に溜まった廃液）を吸い込む管状部材３００と、を備えている。また、本実施の形態のサクションシリンジ１００では、把持部材２００の他端部にホース４００が接続されている。
【００１７】
管状部材３００は、金属材料や樹脂材料等により形成される円筒形状の部材である。本実施の形態の管状部材３００は、湾曲部３０１を有し、全体として略Ｌ字状の形状を呈している。管状部材３００の両端には、それぞれ開口が形成されており、管状部材３００の内部には、円柱状の空間が連続して設けられている。
【００１８】
また、本実施の形態のサクションシリンジ１００では、管状部材３００の先端部（図２における上端部）に、覆い部材３５０が取り付けられている。具体的には、覆い部材３５０は、円筒状の部材により構成され、管状部材３００の先端部に対し、被せられる形で、管状部材３００に対して固定されている。付言すると、覆い部材３５０の内部に対して管状部材３００の先端部が挿入されることで、管状部材３００に対する覆い部材３５０の固定が行われる。
覆い部材３５０は、シリコーンゴムやフッ素ゴム等のゴム材料や樹脂材料により構成され、管状部材３００よりも軟質の材料により構成されている。管状部材３００に覆い部材３５０を取り付けることで、管状部材３００が患者の口腔内に直接接触することが避けられ、軟質の覆い部材３５０が、患者の口腔内に接触するようになる。
【００１９】
ホース４００には、把持部材２００の後述するスイッチ部２３０に電力を供給し、またスイッチ部２３０からの出力信号を導くための電線が吸引方向に沿って配されている。そして、ホース４００に配された電線は、把持部材２００の後述する接点部２５０に接続されている。
【００２０】
詳細については後述するが、本実施の形態のサクションシリンジ１００は、把持部材２００に設けられた押圧ボタン２７３ａの押圧によって、上記廃液の吸引のオン／オフを切り替えることができるようになっている。
【００２１】
続いて、把持部材２００の構成について説明する。図３（ａ）〜（ｂ）は、本実施の形態が適用される把持部材２００の構成を説明するための図である。図３（ａ）は、把持部材２００を図２におけるＩＩＩＡ方向から見た図であり、図３（ｂ）は、把持部材２００を図３（ａ）におけるＩＩＩＢ方向から見た図である。また、図４は、把持部材２００の構成を説明するための図であって、図３（ａ）に示した把持部材２００のＩＶ−ＩＶ断面図である。さらに、図５は、後述する先端カバー部２７０を、後述する本体部２１０から取り外した状態の把持部材２００を示した斜視図であり、図６は、把持部材２００を構成する各部品を分解した状態を示す分解斜視図である。
なお、以下の説明において、把持部材２００のうち管状部材３００（図２参照）が取り付けられる側を先端側、ホース４００が接続される側を後端側と称する場合がある。また、把持部材２００の先端側から後端側に向かう方向を、吸引方向と称する場合がある。
【００２２】
図３（ａ）〜（ｂ）、図４および図５に示すように、本実施の形態の把持部材２００は、ホース４００が接続される第２部材の一例としての本体部２１０と、本体部２１０の先端部（ホース４００が接続される側とは反対の端部）に取り付けられるとともに本体部２１０に対して取り外し可能に構成された第１部材の一例としての先端カバー部２７０と、本体部２１０に接続されたホース４００の外周に取り付けられるとともに本体部２１０およびホース４００に対して移動可能に構成された後端カバー部２９０とを備えている。
図３（ａ）〜（ｂ）および図４に示すように、把持部材２００において本体部２１０に先端カバー部２７０を取り付けた状態では、先端カバー部２７０と後端カバー部２９０とが接続され、本体部２１０は、先端カバー部２７０と後端カバー部２９０とにより覆われた状態となっている。
なお、先端カバー部２７０は、本体部２１０の後述する固定部２１１に対して回転移動可能に構成されている。
【００２３】
図４および図５に示すように、本体部２１０は、ホース４００に対して固定配置され回転不能な固定部２１１と、固定部２１１に対して回転移動可能に設けられた回転部２１２と、により構成される。
また、回転部２１２が固定部２１１の後述するホース継手２２０から抜け落ちることを抑制するための抜け止めリング２１３を有している。さらに、本体部２１０は、固定部２１１の後述する接点部２５０と回転部２１２の後述するスイッチガイド２４０との間に設けられる密閉部材の一例としてのＯリング２１４、２１５と、固定部２１１のホース継手２２０と回転部２１２のスイッチガイド２４０との間に設けられるＯリング２１６と、固定部２１１のホース継手２２０の後述する第１円筒部２２１の外周に取り付けられるＯリング２１７とを有している。
【００２４】
固定部２１１は、ホース４００が接続されるホース継手２２０と、ホース継手２２０に固定配置され後述するタクトスイッチ２３１が電気的に接続される接点部２５０とを備えている。
【００２５】
ホース継手２２０は、例えばポリ塩化ビニル等の樹脂材料により構成され、全体として円筒形状を有している。具体的には、ホース継手２２０は、図４および図６に示すように、先端側から後端側にかけて、第１円筒部２２１、第１円筒部２２１と比較して大径の第２円筒部２２２、第２円筒部２２２と比較して小径の第３円筒部２２３が順に接続されて構成されている。そして、ホース継手２２０の内部には、第１円筒部２２１の先端部から第３円筒部２２３の後端部にかけて連続する円柱状の空間が形成されている。
【００２６】
また、ホース継手２２０における第２円筒部２２２の先端部には、回転部２１２の後端部および接点部２５０の後端部が突き当たる第１突当面２２２ａが形成されている。また、第２円筒部２２２の後端部には、ホース４００の先端部が突き当たる第２突当面２２２ｂが形成されている。
さらに、ホース継手２２０の第２円筒部２２２には、先端側から後端側にかけて貫通する２つの貫通孔２２２ｃ、２２２ｄが設けられている。
【００２７】
接点部２５０は、ホース継手２２０の第１円筒部２２１の外周面に固定配置される。具体的には、接点部２５０は、例えばポリフェニレンサルファイド等の樹脂材料からなり、ホース継手２２０の第１円筒部２２１の外周面に対して回転しないように固定されるリングガイド２５１を備えている。また、接点部２５０は、円環状の金属材料からなりリングガイド２５１の外周面に周方向に連続して設けられる接点部材の一例としての第１接点リング２５２および第２接点リング２５３を備えている。
また、接点部２５０の第１接点リング２５２および第２接点リング２５３には、それぞれ、導線２５２ａ、２５３ａが接続されている。
【００２８】
ホース継手２２０に接点部２５０（リングガイド２５１）が取り付けられた状態では、図４および図６に示すように、第１接点リング２５２に接続された導線２５２ａが、ホース継手２２２の貫通孔２２２ｃに挿入され、第２接点リング２５３に接続された導線２５３ａが、ホース継手２２２の貫通孔２２２ｄに挿入される。そして、貫通孔２２２ｃの後端部から突出した導線２５２ａの端部、および貫通孔２２２ｄの後端部から突出した導線２５３ａの端部は、ホース４００に設けられた電線にそれぞれ接続される。
これにより、接点部２５０の第１接点リング２５２および第２接点リング２５３が、ホース４００に設けられた電線に電気的に接続される。
【００２９】
回転部２１２は、サクションシリンジ１００による吸引のオン／オフを切り替えるための切り替え部の一例としてのスイッチ部２３０と、接点部２５０の外周部に対して回転可能に設けられ、スイッチ部２３０を支持するスイッチガイド２４０と、スイッチガイド２４０に支持されたスイッチ部２３０を被覆するスイッチカバー２４８と、を備えている。
【００３０】
スイッチ部２３０は、図６に示すように、アシスタントまたは医師等により押圧されるタクトスイッチ２３１と、表面にプリント配線が形成されこのプリント配線上にタクトスイッチ２３１が積載されるスイッチ基板２３２と、スイッチ基板２３２上に形成されたプリント配線に接続される第１電極２３３および第２電極２３４と、を備えている。
第１電極２３３および第２電極２３４は、それぞれ金属板を曲げ加工することにより形成され、スイッチ基板２３２の後端側に突出するように設けられている。本実施の形態では、第１電極２３３の突出量が、第２電極２３４と比較して大きくなるようになっている。言い換えると、本実施の形態のスイッチ部２３０では、第２電極２３４の端部の位置が、第１電極２３３の端部よりも後端側にずれている。
【００３１】
スイッチガイド２４０は、全体として円筒形状を有しており、内部に円柱状の空間が形成されている。また、スイッチガイド２４０の外周面には、スイッチ部２３０の第１電極２３３と、接点部２５０の第１接点リング２５２とを接続するための貫通孔２４１が形成されている。同様に、スイッチガイド２４０の外周面には、スイッチ部２３０の第２電極２３４と、接点部２５０の第２接点リング２５３とを接続するための貫通孔２４２が形成されている。
【００３２】
スイッチカバー２４８は、スイッチ部２３０の形状に倣った略直方体状の形状を有しており、上述したように、スイッチ部２３０を被覆するように、スイッチガイド２４０に取り付けられる。
スイッチカバー２４８には、タクトスイッチ２３１が露出するためのスイッチ孔２４８ａが設けられている。具体的には、図５に示すように、スイッチカバー２４８がスイッチガイド２４０に取り付けられた状態で、タクトスイッチ２３１がスイッチカバー２４８のスイッチ孔２４８ａから露出した状態となる。
【００３３】
先端カバー部２７０は、全体として円筒形状を有している。具体的には、先端カバー部２７０は、ポリサルフォン等の樹脂材料からなるカバー本体部２７１と、ポリサルフォン等の樹脂材料からなりカバー本体部２７１の先端に接続され上述した管状部材３００が挿入される挿入部２７２と、シリコーンゴム等の弾性材料からなりカバー本体部２７１の外周面に設けられるグリップ部２７３と、を備えている。また、先端カバー部２７０は、カバー本体部２７１と挿入部２７２との間に設けられ、カバー本体部２７１と挿入部２７２との間を密閉するＯリング２７５を備えている。
そして、先端カバー部２７０の内部には、挿入部２７２の先端部からカバー本体部２７１の後端部にかけて連続した円柱状の空間が形成されている。なお、本実施の形態の先端カバー部２７０には、金属材料からなる部材や電気部品は設けられていない。
【００３４】
カバー本体部２７１の吸引方向中央部には、吸引方向の先端側および後端側と比較して外径が小さい小径部２７１ａが形成されている。本実施の形態の先端カバー部２７０では、小径部２７１ａの外周に、グリップ部２７３が嵌め込まれるようになっている。この小径部２７１ａには、グリップ部２７３の後述する押圧ボタン２７３ａに対応する位置に、ボタン孔２７１ｂが形成されている。
ここで、本実施の形態では、吸引方向と垂直な面における小径部２７１ａの断面形状が、真円ではなく、楕円状となっている。また、本実施の形態のカバー本体部２７１では、ボタン孔２７１ｂが設けられる部位とボタン孔２７１ｂが設けられていない部位とで曲率が異なっている。具体的には、ボタン孔２７１ｂが設けられる部位の曲率が、ボタン孔２７１ｂが設けられていない部位と比較して小さくなっている。
【００３５】
また、カバー本体部２７１の内部には、スイッチ部２３０のスイッチカバー２４８が嵌め込まれ、先端カバー部２７０が本体部２１０に対して回転移動される際に、スイッチカバー２４８をガイドするガイド部２７１ｃが形成されている。
【００３６】
挿入部２７２は、先端側から後端側に向かうに従い外径が大きくなる円筒形状を有している。また、図３（ｂ）および図４に示すように、挿入部２７２の内部には、管状部材３００（図２参照）を介して吸引された固形物の吸引方向下流側への移動を規制する規制部２７２ａが設けられている。ここで、診療中、補綴物や治療に用いた脱脂綿等の固形物が吸引されることが起こりうる。本実施の形態では、予め定められたサイズを超える固形物が規制部２７２ａに引っ掛かることで、収容容器に固形物が収容されることが抑制される。
この例では、規制部２７２ａは、挿入部２７２の軸方向と直交する面における断面形状が十字型となるように形成されている。
【００３７】
グリップ部２７３は、全体として円環形状を有している。そして、上述した図２や図４等に示すように、グリップ部２７３の外周面には、先端カバー部２７０の外周側に向けて突出した押圧ボタン２７３ａが設けられている。具体的には、グリップ部２７３の押圧ボタン２７３ａは、中央部が突出したドーム状の形状を有している。また、押圧ボタン２７３ａの裏面側（グリップ部２７３の内周側）には、図４に示すように、カバー本体部２７１のボタン孔２７１ｂを介してタクトスイッチ２３１に対向する突起部２７３ｂが設けられている。
【００３８】
グリップ部２７３がカバー本体部２７１の小径部２７１ａに取り付けられた状態では、グリップ部２７３は小径部２７１ａの外面形状に倣って弾性変形する。そして、図３（ｂ）に示すように、グリップ部２７３のうち押圧ボタン２７３ａが設けられる部位の曲率が、押圧ボタン２７３ａが設けられていない部位の曲率と比較して小さくなる。これにより、本実施の形態の把持部材２００では、グリップ部２７３のうち押圧ボタン２７３ａが設けられる部位の曲率が小さくない場合と比較して、押圧ボタン２７３ａが押圧されやすくなる。言い換えると、例えば押圧ボタン２７３ａを斜め方向から押圧するような場合であっても、押圧ボタン２７３ａを介してタクトスイッチ２３１に力が加わりやすくなる。この結果、本構成を採用しない場合と比較して、サクションシリンジ１００の操作性が向上する。
【００３９】
続いて、上述した図２〜図６を参照して、本実施の形態の把持部材２００の組み立て手順の一例について説明する。
把持部材２００を組み立てる際には、まず、本体部２１０のホース継手２２０に接点部２５０を取り付ける。具体的には、ホース継手２２０の第１円筒部２２１に対して、先端側から接点部２５０のリングガイド２５１を挿入する。この際、ホース継手２２０に設けられた貫通孔２２２ｃに対して第１接点リング２５２に接続された導線２５２ａを通し、貫通孔２２２ｄに第２接点リング２５３に接続された導線２５３ａを通す。そして、接点部２５０を第１円筒部２２１の先端側から後端側に向けて押し込み、リングガイド２５１の後端部をホース継手２２０の第１突当面２２２ａに突き当てる。
【００４０】
続いて、ホース４００に後端カバー部２９０を通した後、ホース４００の先端部をホース継手２２０の第３円筒部２２３に後端側から接続する。具体的には、ホース４００を第３円筒部２２３の後端側から先端側に向けて押し込み、ホース４００の先端部をホース継手２２０の第２突当面２２２ｂに突き当てる。
この際、貫通孔２２２ｃから突出する導線２５２ａおよび貫通孔２２２ｄから突出する導線２５３ａと、ホース４００に設けられた電線とを、それぞれ接続する。
【００４１】
次いで、回転部２１２のスイッチガイド２４０を、接点部２５０の外周に取り付ける。具体的には、スイッチガイド２４０をホース継手２２０の第１円筒部２２１の先端側から後端側に向けて押し込み、接点部２５０の外周にスイッチガイド２４０を取り付ける。そして、スイッチガイド２４０の後端部を、ホース継手２２０の第１突当面２２２ａに突き当てる。この際、スイッチガイド２４０の内周面と接点部２５０の外周面との間に、Ｏリング２１４、２１５を挟み込み、スイッチガイド２４０の内周面とホース継手２２０における第１円筒部２２１の外周面との間に、Ｏリング２１６を挟み込むようにする。
【００４２】
続いて、スイッチカバー２４８にスイッチ部２３０を取り付ける。この際、スイッチ部２３０のタクトスイッチ２３１が、スイッチカバー２４８のスイッチ孔２４８ａに対向するようにする。
【００４３】
次いで、スイッチ部２３０を取り付けたスイッチカバー２４８を、スイッチガイド２４０に取り付ける。この際、スイッチ部２３０の第１電極２３３が、スイッチガイド２４０の貫通孔２４１を介して接点部２５０の第１接点リング２５２に接触し、スイッチ部２３０の第２電極２３４が、スイッチガイド２４０の貫通孔２４２を介して接点部２５０の第２接点リング２５３に接触するようにする。
【００４４】
本実施の形態では、スイッチカバー２４８をスイッチガイド２４０に取り付けた状態では、スイッチカバー２４８に押されることで、第１電極２３３が第１接点リング２５２に押しつけられ、第２電極２３４が第２接点リング２５３に押しつけられるようになっている。なお、本実施の形態では、第１電極２３３および第２電極２３４と、第１接点リング２５２および第２接点リング２５３とは、互いに接触しているものの、接着等はされていない。
【００４５】
続いて、抜け止めリング２１３をホース継手２２０の第１円筒部２２１に対して、先端側から後端側に向けて押込み、スイッチガイド２４０の先端部に突き当てる。
その後、Ｏリング２１７を、ホース継手２２０の第１円筒部２２１における先端部に取り付ける。これにより、本体部２１０の組み立てが完了する。
【００４６】
続いて、本体部２１０に対して、先端カバー部２７０を取り付ける。具体的には、本体部２１０に対して、先端カバー部２７０を先端側から後端側に向けて押し込む。この際、先端カバー部２７０のカバー本体部２７１の内周面に設けられたガイド部２７１ｃに、本体部２１０のスイッチカバー２４８が嵌まるように、先端カバー部２７０を取り付ける。これにより、先端カバー部２７０の押圧ボタン２７３ａと、本体部２１０のタクトスイッチ２３１とが、先端カバー部２７０のボタン孔２７１ｂおよび本体部２１０のスイッチ孔２４８ａを介して対向する。
【００４７】
続いて、ホース４００に取り付けられた後端カバー部２９０を、ホース４００に沿って後端側から先端側に移動させ、先端カバー部２７０に接続する。後端カバー部２９０と先端カバー部２７０との接続方法としては、例えば後端カバー部２９０の先端部と先端カバー部２７０の後端部とに互いに対応する雄ネジ、雌ネジを設け、これらを締め付ける方法等が挙げられる。
【００４８】
以上のようにして、本実施の形態の把持部材２００が組み立てられる。
ここで、把持部材２００が組み立てられた状態では、図４に示すように、第１接点リング２５２、第２接点リング２５３およびスイッチ部２３０が、リングガイド２５１、スイッチガイド２４０、スイッチカバー２４８およびＯリング２１４、２１５によって囲まれた空間内に配置されるようになる。これにより、サクションシリンジ１００（図２参照）の使用時等に、第１接点リング２５２、第２接点リング２５３およびスイッチ部２３０に、廃液等の水分が接触することが抑制される。言い換えると、第１接点リング２５２、第２接点リング２５３およびスイッチ部２３０が防水される。これにより、第１接点リング２５２、第２接点リング２５３およびスイッチ部２３０の腐食が抑制される。
【００４９】
サクションシリンジ１００を実際に使用する際には、図２に示したように、把持部材２００の先端カバー部２７０における挿入部２７２に、上述した管状部材３００を挿入する。そして、把持部材２００の例えば先端カバー部２７０を掴み、管状部材３００を患者の口腔内に挿入し、患者の口腔内から廃液を吸引する。本実施の形態のサクションシリンジ１００では、上述したように、押圧ボタン２７３ａ（タクトスイッチ２３１）を押圧することで、廃液の吸引のオン／オフを切り替えることが可能となっている。
【００５０】
本実施の形態のサクションシリンジ１００では、アシスタントや医師等がサクションシリンジ１００を使用する際に把持する把持部材２００に押圧ボタン２７３ａを設けることで、サクションシリンジ１００を使用する体勢のまま、サクションシリンジ１００による廃液の吸引のオン／オフを切り替えることが可能となっている。言い換えると、サクションシリンジ１００による廃液の吸引のオン／オフを切り替えるために、サクションシリンジ１００から離れた場所（例えば、診療台２（図１参照）や供給装置５（図１参照））に設けられた電源等を操作する必要がない。このため、本実施の形態では、把持部材２００に押圧ボタン２７３ａ（タクトスイッチ２３１）を設けない場合と比較して、廃液の吸引のオン／オフの切り替えが容易になり、短時間で廃液の吸引のオン／オフを行うことが可能となる。
【００５１】
また、本実施の形態のサクションシリンジ１００（把持部材２００）では、上述したように、本体部２１０の固定部２１１に対して、先端カバー部２７０および本体部２１０の回転部２１２を回転させることで、把持部材２００における押圧ボタン２７３ａの周方向位置を変更できるようになっている。図７（ａ）〜（ｂ）は、先端カバー部２７０および回転部２１２を回転させたサクションシリンジ１００の状態を説明するための図である。以下、図７（ａ）〜（ｂ）および上記図３〜図６等を用いて、先端カバー部２７０および回転部２１２を回転させた場合の把持部材２００およびサクションシリンジ１００の状態について説明する。
【００５２】
把持部材２００において押圧ボタン２７３ａの周方向位置を変更する際には、例えば、一方の手で後端カバー部２９０を掴んで固定した状態で、他方の手で先端カバー部２７０を掴み、後端カバー部２９０に対して先端カバー部２７０を所望の方向へ回転させる。
先端カバー部２７０を回転させると、カバー本体部２７１のガイド部２７１ｃにスイッチカバー２４８がガイドされることで、先端カバー部２７０の回転に連動して本体部２１０の回転部２１２が回転移動する。言い換えると、先端カバー部２７０を回転させることで、固定部２１１および後端カバー部２９０に対して、先端カバー部２７０と回転部２１２とが連動して回転移動する。
【００５３】
ここで、本実施の形態では、スイッチ部２３０の第１電極２３３、第２電極２３４と、ホース４００の電線との接点となる第１接点リング２５２および第２接点リング２５３が、接点部２５０の周方向の全域に亘って連続して設けられている。そして、上述したように、スイッチ部２３０の第１電極２３３および第２電極２３４は、それぞれ、第１接点リング２５２および第２接点リング２５３に対して、接触されている。
これにより、先端カバー部２７０の回転に伴って回転部２１２が固定部２１１に対して回転移動することで、第１電極２３３が第１接点リング２５２に接触した状態で第１接点リング２５２上を周方向に移動し、第２電極２３４が第２接点リング２５３に接触した状態で第２接点リング２５３上を周方向に移動する。この結果、先端カバー部２７０を回転させた場合であっても、第１電極２３３と第１接点リング２５２との接続が維持され、第２電極２３４と第２接点リング２５３との接続が維持される。
【００５４】
なお、上述したように、第１電極２３３および第２電極２３４と、第１接点リング２５２および第２接点リング２５３とは、互いに接触しているものの、接着等はされていない。
したがって、先端カバー部２７０の回転に伴って回転部２１２が固定部２１１に対して回転移動した場合であっても、第１接点リング２５２および第２接点リング２５３は回転移動しない。これにより、第１接点リング２５２に接続される導線２５２ａ、第２接点リング２５３に接続される導線２５３ａ、およびこれらに接続されるホース４００の電線が、先端カバー部２７０の回転に伴ってねじれることが抑制される。
【００５５】
このように、本実施の形態のサクションシリンジ１００では、先端カバー部２７０を回転させることで、先端カバー部２７０にガイドされるスイッチ部２３０を介して、回転部２１２が本体部２１０の固定部２１１に対して回転移動する。この結果、サクションシリンジ１００（把持部材２００）における押圧ボタン２７３ａの周方向位置が移動され、所望の姿勢でサクションシリンジ１００を操作しやすくなる。言い換えると、患者の姿勢や吸引方向に応じて押圧ボタン２７３ａの周方向位置を変更することが可能となり、サクションシリンジ１００の操作性が向上する。
【００５６】
また、先端カバー部２７０を回転させることで、先端カバー部２７０に挿入される管状部材３００の方向を変更することができる。これにより、例えば湾曲部３０１を有する管状部材３００を用いる場合、患者の姿勢や吸引方向に応じて管状部材３００の向きを変更することができ、サクションシリンジ１００の操作性が向上する。
【００５７】
さらに、上述したように、本実施の形態の把持部材２００では、先端カバー部２７０を、本体部２１０から取り外すことが可能となっている。また、先端カバー部２７０には、電子部品等が含まれていない。したがって、本実施の形態では、本体部２１０から取り外した先端カバー部２７０を、水で洗ったり、アルコール等で消毒したりすることが可能となっている。これにより、本構成を採用しない場合と比較して、把持部材２００を清潔に保つことが可能となる。
【符号の説明】
【００５８】
１…歯科用診療装置、５…供給装置、１００…サクションシリンジ、２００…把持部材、２１０…本体部、２１１…固定部、２１２…回転部、２２０…ホース継手、２３０…スイッチ部、２３１…タクトスイッチ、２５０…接点部、２７０…先端カバー部、２７３ａ…押圧ボタン、２９０…後端カバー部、３００…管状部材、４００…ホース
【図１】
0006533686.tif 000002
【図２】
0006533686.tif 000003
【図３】
0006533686.tif 000004
【図４】
0006533686.tif 000005
【図５】
0006533686.tif 000006
【図６】
0006533686.tif 000007
【図７】
0006533686.tif 000008